(57)【要約】【課題】小型化が可能で、組立作業性も向上した、アンテナを得る。【解決手段】この発明に係るアンテナは、導波路７を有するベース１と、このベース１に面接触したスロット板２と、ベース１に設けられスロット板２の縁部に係止部１１が係止したスナップフィット８とを備え、スロット板２は、撓み変形により生じた弾性力で、ベース１の取付け面６に密接しており、スナップフィット８は、係止部１１がスロット板２の復元力に対抗してスロット板２縁部に係止している。【選択図】図３
2011044881.tif 000002
【特許請求の範囲】
【請求項１】
導波路を有するベースと、
このベースに面接触したカバーと、
前記ベースに設けられ前記カバーの縁部に係止部が係止したスナップフィットとを備え、
前記カバーは、撓み変形により生じた弾性力で、前記ベースの取付け面に密接しており、
前記スナップフィットは、前記係止部が前記カバーの復元力に対抗して前記カバーの前記縁部に係止していることを特徴とする電磁波装置。
【請求項２】
前記スナップフィットは、前記ベースと一体に構成されていることを特徴とする請求項１に記載の電磁波装置。
【請求項３】
前記ベース及び前記スナップフィットは、誘電体であるプラスチック材料で構成されているとともに、前記スナップフィットの前記係止部を除いた表面に金属メッキが施されていることを特徴とする請求項２に記載の電磁波装置。
【請求項４】
矩形状をした前記カバーは、前記ベースに取付けられる前では、長手方向に沿って湾曲した形状であり、このカバーが平面状の前記取付け面に密接していることを特徴とする請求項１から３の何れか１項に記載の電磁波装置。
【請求項５】
矩形状をした前記ベースの前記取付け面は、長手方向に沿って湾曲した形状であり、前記カバーは、この取付け面に密接していることを特徴とする請求項１から３の何れか１項に記載の電磁波装置。
【請求項６】
前記スナップフィットは、前記ベースの対向した縁部に、それぞれ縁部に沿って延びて設けられていることを特徴とする請求項１から５の何れか１項に記載の電磁波装置。
【請求項７】
前記スナップフィットは、前記ベースの対向した縁部のそれぞれの中央部に設けられていることを特徴とする請求項１から５の何れか１項に記載の電磁波装置。
【請求項８】
前記スナップフィットを覆って設けられ前記係止部を前記カバー側に付勢したレドームを備えたことを特徴とする請求項１から７の何れか１項に記載の電磁波装置。
【請求項９】
前記カバーは、電磁波が通過するスロットを有するスロット板であり、前記電磁波装置は、アンテナであることを特徴とする請求項１から８の何れか１項に記載の電磁波装置。
【請求項１０】
前記カバーは、前記導波路を密閉するシール板であり、前記電磁波装置は、導波管であることを特徴とする請求項１から８の何れか１項に記載の電磁波装置。
【請求項１１】
車両用レーダに適用されることを特徴とする請求項１から１０の何れか１項に記載の電磁波装置。
【発明の詳細な説明】
【技術分野】
【０００１】
この発明は、マイクロ波帯、ミリ波帯で用いられる電磁波装置に関する。
【背景技術】
【０００２】
従来、複数の溝状の放射用導波路を有するベースと、放射用導波路に対応した位置にスロットを有するスロット板とを有し、固定ねじを用いてスロット板をベースに固定したアンテナが知られている（例えば、特許文献１参照）。
【先行技術文献】
【特許文献】
【０００３】
【特許文献１】特開２００４-１５５７９号公報（段落０００３、図２）
【発明の概要】
【発明が解決しようとする課題】
【０００４】
このように構成されたアンテナにおいては、スロット板をベースに固定ねじを用いて固定するために、スロット板及びベースのそれぞれの周縁部に固定ねじ用のスペースが必要となり、装置全体が大型化してしまうという問題点があった。
また、複数本の固定ねじの固定作業をそれぞれ行わなければならず、組立作業性が悪いという問題点もあった。
【０００５】
この発明は、かかる問題点を解決することを課題とするものであって、小型化が可能で、組立作業性も向上した、電磁波装置を提供することを目的とする。
【課題を解決するための手段】
【０００６】
この発明に係る電磁波装置は、導波路を有するベースと、このベースに面接触したカバーと、前記ベースに設けられ前記カバーの縁部に係止部が係止したスナップフィットとを備え、前記カバーは、撓み変形により生じた弾性力で、前記ベースの取付け面に密接しており、前記スナップフィットは、前記係止部が前記カバーの復元力に対抗して前記カバーの前記縁部に係止している。
【発明の効果】
【０００７】
この発明による電磁波装置によれば、カバーをベースの取付け面に強制的に面接触させることで、カバーは、撓み変形により生じた弾性力で、ベースの取付け面に密接し、スナップフィットは、係止部がカバーの復元力に対抗してカバーの縁部に係止するので、取付け工具を用いることなく、カバーをベースに簡単に取付けることができ、組立作業性が大幅に向上する。
【図面の簡単な説明】
【０００８】
【図１】この発明の実施の形態１のアンテナを示す全体斜視図である。
【図２】図１のＩＩ−ＩＩ線に沿った矢視断面図である。
【図３】図１のアンテナの組立前の構成部材を示す斜視図である。
【図４】この発明の実施の形態２のアンテナを示す全体斜視図である。
【図５】図４のＶ−Ｖ線に沿った矢視断面図である。
【図６】図４のアンテナの組立前の構成部材を示す斜視図である。
【図７】この発明の実施の形態３のアンテナを示す全体斜視図である。
【図８】図７のＶＩＩＩ−ＶＩＩＩ線に沿った矢視断面図である。
【図９】図７のアンテナの組立前の構成部材を示す斜視図である。
【図１０】この発明の実施の形態４のアンテナを示す全体斜視図である。
【図１１】図１０のＸＩ−ＸＩ線に沿った矢視断面図である。
【図１２】図１０のアンテナの組立前の構成部材を示す斜視図である。
【図１３】この発明の実施の形態５のアンテナを示す断面図である。
【発明を実施するための形態】
【０００９】
以下、この発明の各実施の形態について、図に基づいて説明するが、各図において同一または相当部材、部位については、同一符号を付して説明する。
実施の形態１．
図１は、この発明の実施の形態１のアンテナを示す全体斜視図である。
この電磁装置であるアンテナは、車両用レーダに用いられるものであって、プラスチック材料で構成されたベース１と、カバーであるスロット板２と、ベース１の両端部に設けられたスナップフィット８とを備えている。
矩形状でスロット板２の取付け面６が平面のベース１は、中間部に溝状の導波路７が形成され、また導波路７に連通したポート５が形成されている。ベース１及びスナップフィット８は誘電体であるプラスチック材料で構成されており、スナップフィット８の係止部１１の表面以外の部位には、金属メッキが施されている。ポート５の下方には、導波管（図示せず）が接続されている。この導波管には送受信装置（図示せず）が接続されている。
一対のスナップフィット８は、ベース１の短辺縁部の全域にわたって互いに対向しているとともにベース１と一体に設けられ、ベース１の長手方向に沿って撓み変形可能になっている。
矩形状のスロット板２は、図３に示すように、ベース１に取付けられる前の状態では長手方向に沿って取付け面６側に突出して湾曲変形している。スロット板２は、導波路７に対向した部位に複数のスロット１０が形成されている。
【００１０】
このアンテナでは、送受信装置からの送信電磁波は、導波管、ポート５、導波路７及びスロット板２のスロット１０を通じて空間に放射される。
また、空間からの受信電磁波は、スロット板２のスロット１０、導波路７、ポート５及び導波管を通じて送受信装置に送られる。
【００１１】
このアンテナは、ベース１の平面状の取付け面６に、湾曲変形したスロット板２の凸面側を押し当て、スロット板２を平面化させることで簡単に組み立てられる。
即ち、スロット板２を平面化させる途中、スロット板２の短辺側の両端部は、スナップフィット８の係止部１１にそれぞれ当接し、それぞれのスナップフィット８を外側に撓み変形させながら、引き続き係止部１１のベース１側まで入り込む。この際に、スナップフィット８は、図２に示すように、弾性復元力で起立し、係止部１１が、スロット板２の両縁部を係止することで、スロット板２は、ベース１の取付け面６の全面と強制的に密接して面接触させられる。
また、スロット板２をベース１から取り外すときには、スナップフィット８の係止部１１を外側に弾性変形させ、スロット板２をベース１から持ち上げることで、簡単に取り外すことができる。
【００１２】
この実施の形態１のアンテナによれば、長手方向に沿って湾曲した形状で、ベース１側に突出変形したスロット板２をベース１の平面状の取付け面６に強制的に面接触させると同時に、弾性復元したスナップフィット８の係止部１１がスロット板２の縁部を係止し、取付け工具を用いることなく、簡単にベース１にスロット板２が取付けられ、組立作業性が大幅に向上する。
また、例えば固定ねじを用いた場合には、スロット板２及びベース１のそれぞれの周縁部に固定ねじ用のスペースが必要となるが、この実施の形態では、このようなスペースは不要となり、アンテナが小型化される。
さらに、ベース１は、スナップフィット８と一体であり、個別に新たな取付け用部品を揃える必要性はない。
また、スナップフィット８の係止部１１は、表面に金属メッキ処理が施されてなく誘電体であるプラスチック材が露出しており、従って係止部１１がスロット板２の表面から突出しているものの電波特性に与える影響は小さく、良好な電磁波特性が確保される。
【００１３】
実施の形態２．
図４はこの発明の実施の形態２のアンテナを示す全体斜視図、図５は図４のＶ−Ｖ線に沿った矢視断面図、図６は図４のアンテナの構成部材を示す斜視図である。
この実施の形態では、ベース１Ａに取付けられる前のスロット板２Ａは矩形状の平面板である。
また、矩形状のベース１Ａの取付け面６Ａは、長手方向に沿って湾曲した形状でスロット板２Ａ側に突出している。
他の構成は、実施の形態１のアンテナと同じである。
【００１４】
この実施の形態のアンテナも、平面板であるスロット板２Ａをベース１Ａの湾曲形状の取付け面６Ａに強制的に面接触させることで、取付け工具を用いることなく、簡単にベース１Ａにスロット板２Ａを取付けることができ、実施の形態１のアンテナと同様の効果を得ることができる。
【００１５】
実施の形態３．
図７はこの発明の実施の形態３のアンテナを示す全体斜視図、図８は図７のＶＩＩＩ−ＶＩＩＩ線に沿った矢視断面図、図９は図７のアンテナの構成部材を示す斜視図である。
この実施の形態では、矩形状のスロット板２Ｂは、ベース１に取付ける前では、ベース１と反対側に突出した湾曲形状である。
また、矩形状のベース１の長辺側側面に、ベース１と一体のスナップフィット８Ａが対向して設けられている。
なお、スナップフィット８Ａの数は、２箇所に限定されるものではなく、例えば４箇所であってもよい。
他の構成は、実施の形態１のアンテナと同じである。
【００１６】
この実施の形態のアンテナも、湾曲形状のスロット板２Ｂをベース１の取付け面６に強制的に面接触させることで、取付け工具を用いることなく、簡単にベース１にスロット板２Ｂを取付けることができ、実施の形態１のアンテナと同様の効果を得ることができる。
また、スナップフィット８Ａの係止部１１は、スロット板２Ｂの撓み変形量が最大の中央部を係止しており、スロット板２Ｂは取付け面６に効率よく密接される。
【００１７】
実施の形態４．
図１０はこの発明の実施の形態４のアンテナを示す全体斜視図、図１１は図１０のＸＩ−ＸＩ線に沿った矢視断面図、図１２は図１０のアンテナの構成部材を示す斜視図である。
この実施の形態では、スロット板２Ａが矩形状の平面板である。
また、矩形状のベース１Ｂの取付け面６Ｂは、長手方向に沿ってスロット板２Ａと反対側に落ち込んだ湾曲形状である。
また、矩形状のベース１Ｂの長辺側側面に、ベース１Ｂと一体のスナップフィット８Ａが対向して設けられている。
なお、スナップフィット８Ａの数は、２箇所に限定されるものではなく、例えば４箇所であってもよい。
他の構成は、実施の形態１のアンテナと同じである。
【００１８】
この実施の形態のアンテナも、平面板であるスロット板２Ａをベース１Ｂの湾曲形状の取付け面６Ｂに強制的に面接触させることで、取付け工具を用いることなく、簡単にベース１Ｂにスロット板２Ａを取付けることができ、実施の形態１のアンテナと同様の効果を得ることができる。
また、スナップフィット８Ａの係止部１１は、スロット板２Ａの撓み変形量が最大の中央部を係止しており、スロット板２Ａは取付け面６Ｂに効率よく密接される。
【００１９】
実施の形態５．
図１３はこの発明の実施の形態５のアンテナを示す断面図である。
この実施の形態のアンテナは、スナップフィット８を覆って設けられ係止部１１をスロット板２側に付勢した断面コの字形状のレドーム９を備えている。
他の構成は実施の形態１と同じである。
【００２０】
この実施の形態のアンテナは、実施の形態１と同じ効果を得ることができるとともに、レドーム９を備えたことで、スナップフィット８の係止部１１がスロット板２の縁部から外れてベース１からスロット板２が外れるのを防止することができるという効果がある。
なお、実施の形態２〜４の何れのアンテナにおいても、このレドーム９を備えることができるのは勿論である。
【００２１】
なお、上記各実施の形態では、電磁波装置としてアンテナの場合について説明したが、この発明は、電磁波装置である導波管にも適用できる。
実施の形態１〜５のアンテナの場合、電磁波装置のカバーはスロット板２，２Ａ，２Ｂであったが、この導波管の場合には、ベースの導波路を密閉するシール板が電磁波装置のカバーに相当する。
即ち、導波管は、導波路を有するベースと、このベースに面接触し前記導波路を密閉するシール板と、前記ベースに設けられ前記シールの縁部に係止部が係止したスナップフィットとを備え、前記シール板は、撓み変形により生じた弾性力で、前記ベースの取付け面に密接しており、前記スナップフィットは、前記係止部が前記シール板の復元力に対抗して前記シール板の前記縁部に係止している。
この導波管に適用される、ベース及びシール板も、実施の形態１〜５に示された、ベース１，１Ａ，１Ｂ及びスロット板２，２Ａ，２Ｂと同様の各形態が用いられ、実施の形態１〜５のアンテナと同様の効果が得られる。
【符号の説明】
【００２２】
１，１Ａ，１Ｂ  ベース、２，２Ａ，２Ｂ  スロット板、５  ポート、６，６Ａ，６Ｂ  取り付け面、７  導波路、８，８Ａ  スナップフィット、９  レドーム、１０  スロット、１１  係止部。
【図１】
2011044881.tif 000003
【図２】
2011044881.tif 000004
【図３】
2011044881.tif 000005
【図４】
2011044881.tif 000006
【図５】
2011044881.tif 000007
【図６】
2011044881.tif 000008
【図７】
2011044881.tif 000009
【図８】
2011044881.tif 000010
【図９】
2011044881.tif 000011
【図１０】
2011044881.tif 000012
【図１１】
2011044881.tif 000013
【図１２】
2011044881.tif 000014
【図１３】
2011044881.tif 000015